(57)【要約】      （修正有）【課題】記念品又は贈答品としての利便性に優れた電子アルバムを提供する。【解決手段】写真アルバムの装丁を模した外観形態を有するものであって、写真アルバムの表表紙を模した外観形態を有する開閉カバーと、写真アルバムの表表紙を除く部分を模した外観形態を有する本体ケースと、本体ケースにおける開閉カバーに対する見開き面に配設されてデジタル画像を表示する表示画面と、表示画面にデジタル画像を再生して表示させる機能を有して本体ケース内部に収容される画像再生装置と、本体ケースにおける表示画面の配設面に凹設される収容凹部と、収容凹部に着脱可能に嵌着されて本体ケースと別体であって音情報の録音、記憶及び再生機能を有する録音再生器とを備えている。【選択図】図２
0003129617.tif 000002
【実用新案登録請求の範囲】
【請求項１】
写真アルバムの装丁を模した外観形態を有する電子アルバムであって、
その写真アルバムの表表紙を模した外観形態を有する開閉カバーと、
その開閉カバーが開閉可能に連設され、写真アルバムの表表紙を除く部分を模した外観形態を有する本体ケースと、
その本体ケースにおける前記開閉カバーに対する見開き面に配設されてデジタル画像を表示する表示画面と、
その表示画面にデジタル画像を再生して表示させる機能を有し、前記本体ケース内部に収容される画像再生装置と、
その画像再生装置を収容する前記本体ケースにおける前記表示画面の配設面に凹設される収容凹部と、
その収容凹部に着脱可能に嵌着されて前記本体ケースと別体に形成され、音声などの音情報の録音機能、記憶機能および再生機能を有する録音再生器とを備えていることを特徴とする電子アルバム。
【請求項２】
前記録音再生器は、再生される音情報を出力するスピーカを内蔵していることを特徴とする請求項１記載の電子アルバム。
【請求項３】
前記録音再生器に設けられて音情報の録音処理を開始する場合に押下される録音ボタンと、その録音ボタンを被覆する状態で前記録音再生器に着脱可能に取着される録音封印部材とを備えていることを特徴とする請求項１又は２に記載の電子アルバム。
【請求項４】
前記本体ケースにおける前記開閉カバーに対する見開き面に凹設される２以上の前記収容凹部と、
その２以上の収容凹部のそれぞれに着脱可能に嵌着される２以上の前記録音再生器とを備えていることを特徴とする請求項１から３のいずれかに記載の電子アルバム。
【請求項５】
前記画像再生装置は、前記本体ケースに着脱可能な記憶媒体からデジタル画像を読み出して前記表示画面に表示するものであり、
前記本体ケースは、記憶媒体が挿脱可能に挿着される挿着スロットと、この挿着スロットに記憶媒体が挿着されることでその記憶媒体を前記画像再生装置に対してデータ送信可能に接続するコネクタとを備えていることを特徴とする請求項１から４のいずれかに記載の電子アルバム。
【請求項６】
前記挿着スロットは前記本体ケースに２以上形成されており、
その一方の挿着スロットに配設される前記コネクタは、その他方の挿着スロットに配設される前記コネクタとは異種形式の記憶媒体と接続可能に形成されていることを特徴とする請求項５記載の電子アルバム。
【請求項７】
前記挿着スロットは、前記本体ケースにおける背部、小口部、天部、又は、地部のうちいずれか１つに開口形成されており、
前記本体ケースは、その挿着スロットの開口部を開閉するとともに前記本体ケースにおける背部、小口部、天部、又は、地部の外観形態を模したスロットカバーを備えていることを特徴とする請求項５又は６に記載の電子アルバム。
【請求項８】
前記本体ケース内部に収容され、デジタル画像に付随した音声などの音情報を記憶媒体から読み出して再生する音情報再生装置と、
その音情報再生装置により再生される音情報を出力するため前記本体ケースに内蔵されるスピーカとを備えていることを特徴とする請求項５から７のいずれかに記載の電子アルバム。
【請求項９】
前記画像再生装置は、前記本体ケースに着脱可能な記憶媒体からデジタル画像を読み出して前記表示画面に表示するものであり、
前記開閉カバーの内側面には、記憶媒体を収容可能な収容ポケットが配設されていることを特徴とする請求項１から８のいずれかに記載の電子アルバム。
【考案の詳細な説明】
【技術分野】
【０００１】
本考案は、記念品又は贈答品として利便性を有する電子アルバムに関するものである。
【背景技術】
【０００２】
写真アルバムは、印画紙に印画した写真（以下「印画写真」という。）を私的に鑑賞、閲覧又は保管するための私用の写真帳として一般に使用されるが、例えば、思い出の出来事を撮影した写真を大切に記録保存するための記念アルバムに装丁や美的装飾を施すことで記念品や贈答品として利用されることもある。
【０００３】
ところで、近年、写真撮影カメラとしてデジタルカメラが普及すると共に、撮影画像の保存形式もデジタルデータ化している。このようなデジタルデータ形式の撮影画像（以下「デジタル画像」という）は、銀塩写真による場合と同様に印画されるか、又は、かかるデジタル画像をプリンタにより印刷するなどして鑑賞や保存に供される。
【０００４】
もっとも、デジタル画像は、デジタルカメラ本体に装備される表示画面や、デジタルカメラを接続したテレビの画面や、パーソナルコンピュータ（以下「ＰＣ」と略記する。）などの電子計算機に装備される表示画面などに表示することで鑑賞することもできる。
【０００５】
また、撮影画像がデジタル画像化する一方で、ＩＣレコーダなどのデジタル録音機器やＰＣなどの電子計算機の普及拡大に伴って、音響専門家のみならず、一般人であっても、音声などの音情報をデジタルデータ形式で録音及び保存できるようになってきている。
【０００６】
このような、画像及び音情報のデジタルデータ化は写真アルバムの技術分野に対しても影響を与えており、実開平６−３９４５８号、実用新案登録第３０１８０７３号、実用新案登録第３０４８７１１号、実用新案登録第３０５９３０４号、又は、実用新案登録第３１１４４４３号に記載されているようにデジタル音情報を録音、記憶及び再生可能な音声メッセージ機能付きの写真アルバムや、特表２００２−５１５６５８号に記載されているような電子フォトアルバムなどが提案されている。
【考案の開示】
【考案が解決しようとする課題】
【０００７】
しかしながら、上記した音声メッセージ機能付き写真アルバムでは、アルバム台紙上に印画写真が直接に貼付されているので、印画写真の撮影画像を複数枚同時に鑑賞閲覧できるという利点はあるものの、アルバム台紙に貼付すべき印画写真が多数ある場合には貼付に多大なる手間が必要となって極めて煩雑であるという問題点があった。
【０００８】
特に、実開平６−３９４５８号に記載の写真アルバムのアルバム専用台紙では、ボイスモジュールをアルバム専用台紙の挿入部に差し込む場合に、そのボイスモジュールからボイスレコーダを接続するためのフラットケーブルを切断除去する必要がある。よって、フラットケーブルが切断されてしまうと、ボイスモジュールに音声を再録音することができず、ボイスモジュールに音声などを追加録音することができないという問題点があった。
【０００９】
また、実用新案登録第３０１８０７３号及び実用新案登録第３０５９３０４号に記載のアルバムでは、音声の録音・再生機器がアルバムの一部に組み込まれているので、メッセージ音声を録音するためにアルバム自体が必要となるため、例えば、メッセージを録音する者が複数人いて順番にメッセージを録音するような場合には、録音者が交代するたびにアルバム自体を受け渡す必要があり、録音作業が極めて煩雑となるという問題点があった。
【００１０】
また、実用新案登録第３０４８７１１号に記載の写真アルバムでは、カメラ機器に内蔵される録音装置や、カメラ機器に接続可能な外部録音装置から、録音済みのカセットテープやＣＤを取り出して再生装置に投入し、その再生装置を写真アルバムにケーブルを介して接続しなければ、メッセージなどの音情報を手軽に再生することができず、極めて煩雑であるという問題点があった。
【００１１】
また、実用新案登録第３１１４４４３号に記載のアルバム装置では、多数の写真台紙を、当該アルバム装置とは別に収容箱等やポケット付きファイル等に入れて保管する必要があり、写真台紙とアルバム装置とを別々に保管する必要があって極めて煩雑という問題点があった。
【００１２】
しかも、この実用新案登録第３１１４４４３号に記載のアルバム装置や、特表２００２−５１５６５８号に記載の電子フォトアルバムは、その外観デザインが家電機器としての印象を払拭できず、記念品や贈答品としての外観上の装飾的美感に欠けるという問題点があった。
【００１３】
本考案は、上述した問題点を解決するためになされたものであり、記念品又は贈答品としての利便性に優れた電子アルバムを提供することを目的としている。
【課題を解決するための手段】
【００１４】
この目的を達成するために、請求項１記載の電子アルバムは、写真アルバムの装丁を模した外観形態を有するものであって、その写真アルバムの表表紙を模した外観形態を有する開閉カバーと、その開閉カバーが開閉可能に連設され、写真アルバムの表表紙を除く部分を模した外観形態を有する本体ケースと、その本体ケースにおける前記開閉カバーに対する見開き面に配設されてデジタル画像を表示する表示画面と、その表示画面にデジタル画像を再生して表示させる機能を有し、前記本体ケース内部に収容される画像再生装置と、その画像再生装置を収容する前記本体ケースにおける前記表示画面の配設面に凹設される収容凹部と、その収容凹部に着脱可能に嵌着されて前記本体ケースと別体に形成され、音声などの音情報の録音機能、記憶機能および再生機能を有する録音再生器とを備えている。
【００１５】
この請求項１記載の電子アルバムによれば、表表紙を模した開閉カバーが開かれると、その本体ケースの見開き面に表示画面が表れる。この表示画面には画像再生装置によって再生されるデジタル画像が表示される。また、録音再生器は、本体ケースの収容凹部から取り外されて、メッセージなどの音情報の録音や再生に使用される。しかも、録音再生器は、本体ケースから取り外されることで携行可能となるため持ち運びにも便利であり、音情報の録音後は本体ケースの収容凹部内に嵌着されることで本体ケースに収容された状態で保管される。
【００１６】
請求項２記載の電子アルバムは、請求項１記載の電子アルバムにおいて、前記録音再生器は、再生される音情報を出力するスピーカを内蔵している。この請求項２記載の電子アルバムによれば、請求項１記載の電子アルバムと同様に作用する上、録音再生器に記憶されている音声などの音情報が再生されると、この再生された音情報は録音再生器に内蔵されているスピーカから直接出力される。
【００１７】
請求項３記載の電子アルバムは、請求項１又は２に記載の電子アルバムにおいて、前記録音再生器に設けられて音情報の録音処理を開始する場合に押下される録音ボタンと、その録音ボタンを被覆する状態で前記録音再生器に着脱可能に取着される録音封印部材とを備えている。
【００１８】
この請求項３記載の電子アルバムによれば、請求項１又は２に記載の電子アルバムと同様に作用する上、録音再生器の録音ボタンが押下されると、メッセージなどの音情報を録音するための録音処理が開始されて、録音再生器に録音された音情報が記憶保持される。また、音情報の録音後は録音再生器に録音封印部材を取着することで、この録音封印部材によって被覆される録音ボタンが押下不能な状態となり、録音再生器に対する再録音が禁止される。
【００１９】
請求項４記載の電子アルバムは、請求項１から３のいずれかに記載の電子アルバムにおいて、前記本体ケースにおける前記開閉カバーに対する見開き面に凹設される２以上の前記収容凹部と、その２以上の収容凹部のそれぞれに着脱可能に嵌着される２以上の前記録音再生器とを備えている。この請求項４記載の電子アルバムによれば、請求項１から３のいずれかに記載の電子アルバムと同様に作用する上、２個以上の録音再生器を本体ケースの開閉カバーに対する見開き面に同時に収容できる。
【００２０】
請求項５記載の電子アルバムは、請求項１から４のいずれかに記載の電子アルバムにおいて、前記画像再生装置は、前記本体ケースに着脱可能な記憶媒体からデジタル画像を読み出して前記表示画面に表示するものであり、前記本体ケースは、記憶媒体が挿脱可能に挿着される挿着スロットと、この挿着スロットに記憶媒体が挿着されることでその記憶媒体を前記画像再生装置に対してデータ送信可能に接続するコネクタとを備えている。
【００２１】
この請求項５記載の電子アルバムによれば、請求項１から４のいずれかに記載の電子アルバムと同様に作用する上、例えば、デジタルカメラにより撮影されたデジタル画像が直接書き込まれたメモリカードなどの記憶媒体は、デジタルカメラから取り外されて、本体ケースにある挿着スロットに挿着される。すると、この記憶媒体がコネクタを介して画像再生装置に対してデータ送信可能に接続されるので、画像再生装置によって記憶媒体に記憶されたデジタル画像が再生されて表示画面に表示される。
【００２２】
請求項６記載の電子アルバムは、請求項５記載の電子アルバムにおいて、前記挿着スロットは前記本体ケースに２以上形成されており、その一方の挿着スロットに配設される前記コネクタは、その他方の挿着スロットに配設される前記コネクタとは異種形式の記憶媒体と接続可能に形成されている。
【００２３】
請求項７記載の電子アルバムは、請求項５又は６に記載の電子アルバムにおいて、前記挿着スロットは、前記本体ケースにおける背部、小口部、天部、又は、地部のうちいずれか１つに開口形成されており、前記本体ケースは、その挿着スロットの開口部を開閉するとともに前記本体ケースにおける背部、小口部、天部、又は、地部の外観形態を模したスロットカバーを備えている。
【００２４】
請求項８記載の電子アルバムは、請求項５から７のいずれかに記載の電子アルバムにおいて、前記本体ケース内部に収容され、デジタル画像に付随した音声などの音情報を記憶媒体から読み出して再生する音情報再生装置と、その音情報再生装置により再生される音情報を出力するため前記本体ケースに内蔵されるスピーカとを備えている。
【００２５】
請求項９記載の電子アルバムは、請求項１から８のいずれかに記載の電子アルバムにおいて、前記画像再生装置は、前記本体ケースに着脱可能な記憶媒体からデジタル画像を読み出して前記表示画面に表示するものであり、前記開閉カバーの内側面には、記憶媒体を収容可能な収容ポケットが配設されている。
【考案の効果】
【００２６】
請求項１記載の電子アルバムによれば、その外観形態が写真アルバムの装丁を模したものであるので、デジタル画像を再生表示する機器としての機能を保持しつつも、家電機器としての外観上の印象を払拭でき、記念品や贈答品として外観上の装飾的美感に優れたものとできるという効果がある。しかも、思い出の場面を記録したデジタル画像は、画像再生装置によって再生されて表示画面に表示されるので、多数の印画写真をアルバム台紙に貼付する必要もなく、写真アルバムの製作管理の手間を軽減できるという効果がある。
【００２７】
また、録音再生器は、本体ケースの見開き面にある収容凹部に着脱可能に嵌着されるので、本体ケースから取り外して、本体ケースとは別々に携行することもできる。このため、メッセージなどの音情報を録音する場合に、音情報の録音のために電子アルバム全体を一々持ち運ばずとも良いので、例えば、メッセージの録音者の間で嵩張る電子アルバム全体を受け渡しする余分な手間を軽減できるという効果がある。しかも、例えば、録音再生器としていわゆるボイスレコーダを採用することで、メッセージなどの音情報を追加録音することも極めて容易に行えるという効果がある。
【００２８】
更に、本体ケース内部にはデジタル画像を再生するための画像再生装置が収容されているので、デジタル画像を再生するための外部機器を別途ケーブルを介して接続する必要もなく、極めて簡単にデジタル画像を再生して鑑賞や閲覧できるという効果がある。しかも、印画済みの多数の写真台紙と電子アルバムとを別々に保管する必要もなく保管上も便利であるという効果がある。
【００２９】
請求項２記載の電子アルバムによれば、請求項１記載の電子アルバムの奏する効果に加え、録音再生器に記憶されている音情報を聴くために、録音再生器をＰＣなどの外部機器や外部スピーカに接続する必要がなく、メッセージなどの音情報を手軽に再生して聴くことができるという効果がある。
【００３０】
請求項３記載の電子アルバムによれば、請求項１又は２に記載の電子アルバムの奏する効果に加え、録音再生器に取着される録音封印部材によって録音ボタンを被覆することで、録音ボタンが押下不能な状態となるので、例えば、録音済みの録音再生器を誤操作して新たな音情報を重ね録りして、以前に録音した貴重なメッセージを消失させてりまうことを防止できるという効果がある。しかも、録音封印部材を取り外してしまえば、録音ボタンを操作可能な状態に復帰できるので、メッセージなどの音情報の追加録音や再度の録音を極めて容易に行えるという効果がある。
【００３１】
請求項４記載の電子アルバムによれば、請求項１から３のいずれかに記載の電子アルバムの奏する効果に加え、例えば、メッセージの録音希望者が複数人いる場合には、２以上ある録音再生器にメッセージを振り分けて記憶させることもでき、或いは、各録音再生器にそれぞれ別々のメッセージを録音記憶させることもできるという効果がある。
【００３２】
請求項５記載の電子アルバムによれば、請求項１から４のいずれかに記載の電子アルバムの奏する効果に加え、記憶媒体を挿着スロットに挿着することで、この記憶媒体はコネクタを介して画像再生装置にデータ送信可能に接続されるので、デジタル画像を再生するための外部機器を別途用意する必要がなく、この電子アルバムが１冊あれば他の外部機器を介することなくデジタル画像の鑑賞や閲覧できるという効果がある。
【００３３】
しかも、挿着スロットに挿着される記憶媒体を差し替えることで、各記憶媒体に記憶されている全てのデジタル画像を再生して鑑賞や閲覧できるという効果があり、更に、印画写真にプリントとすると枚数が多くて１冊のアルバムに収まりきらないような場合でも、記憶媒体ならばデジタル画像を複数枚の記憶媒体に振り分けて記憶保存しておくことができるという効果がある。
【００３４】
また、予め記憶容量が決まった記憶装置を本体ケースに搭載すると、必然的にデジタル画像の記憶容量に制限が加わるため、記憶装置の記憶容量を超過するデジタル画像を記憶保持することができない事態も想定される。しかしながら、外部記憶装置である記憶媒体を用いれば、その記憶媒体の個数を増やすことで必要な記憶容量を確保できるので、１冊の電子アルバムで鑑賞や閲覧の可能なデジタル画像数を増加させたり、或いは、デジタル画像を高画質のデータ形式で記憶保持させたりできるという効果もある。
【００３５】
請求項６記載の電子アルバムによれば、請求項５記載の電子アルバムの奏する効果に加え、異種形式の記憶媒体に対応したコネクタが別々の挿着スロットに予め配設されているので、異種形式の記憶媒体に記憶されているデジタル画像を１冊の電子アルバムで鑑賞したり閲覧したりすることができるという効果がある。
【００３６】
請求項７記載の電子アルバムによれば、請求項５又は６に記載の電子アルバムの奏する効果に加え、スロットカバーで挿着スロットの開口部を閉塞して覆い隠すことができ、しかも、かかるスロットカバーは、挿着スロットが形成される背部、小口部、天部、又は、地部の外観形態に模したものである。よって、挿着スロットやスロットカバーの存在することで、写真アルバム型の装丁様式を模した電子アルバムの外観が毀損されることを防止できるという効果がある。
【００３７】
請求項８記載の電子アルバムによれば、請求項５から７のいずれかに記載の電子アルバムの奏する効果に加え、記憶媒体にデジタル動画と一緒に録音されている音声などの音情報を、表示画面に表示されているデジタル動画に併せてスピーカから出力できる。よって、デジタル静止画像のみならずデジタル動画も、この電子アルバムによって鑑賞や閲覧することができるという効果がある。
【００３８】
請求項９記載の電子アルバムによれば、請求項１から８のいずれかに記載の電子アルバムの奏する効果に加え、例えば、デジタル画像数が多い場合など、複数枚の記憶媒体を使用してデジタル画像を記憶保存するようなときは、各記憶媒体を収容ポケットに収容して電子アルバムと一緒に保存できるという効果がある。また、収容ポケットは開閉カバーの内側面に配設されるので、これら収容ポケットの存在によって電子アルバムの外観上の装飾的美感が毀損される事態を防止できるという効果がある。
【考案を実施するための最良の形態】
【００３９】
以下、本考案の好ましい実施例について、添付図面を参照して説明する。図１は、本考案の一実施例である電子アルバム１を略正面方向から斜視した外観斜視図である。図１に示すように、電子アルバム１は、ハードカバー製本された写真アルバムの装丁（外観様式）を模した外観形態に形成されており、かかる外観形態を構成する要素である開閉カバー２と本体ケース３とを備えている。
【００４０】
開閉カバー２は、写真アルバムの表表紙を模した略長方形板状の外観形態に形成されており、後述する表示画面５（図２参照）を保護するとともに録音再生器８（図２参照）の本体ケース３からの脱落を防止するものである。また、本体ケース３の背部（３ｂ）には、後述する挿着スロット１１の開口部を覆い隠すスロットカバー１３が開閉可能に取着されている。
【００４１】
図２は、電子アルバム１の開閉カバー２の開放状態を示す外観斜視図である。図２に示すように、開閉カバー２の内側面２ａには、デジタル画像（静止画像及び動画の双方を含む。以下同じ。）を記憶する記憶媒体であるメモリカード（カード型外部記憶装置）２０を収容可能な複数の収容ポケット４が縦方向に一定間隔で配設されている。
【００４２】
本体ケース３は、写真アルバムの表表紙を除く部分を模した外観形態に形成されており、具体的には、写真アルバムの表表紙の見開き面（３ａ）、背部（３ｂ）、小口部（３ｃ）、天部（３ｄ）、地部（３ｅ）及び裏表紙（３ｆ）を模した６つの面部３ａ〜３ｆによって包囲された中空状の略矩形箱状体に形成されている。また、この本体ケース３の背部３ｂ側の縁辺には上記した開閉カバー２の縁辺が連設されており、これの連設部分を介して開閉カバー２は本体ケース３に開閉可能に取着されている。
【００４３】
また、この本体ケース３は、開閉カバー２の内側面２ａに対する見開き面（以下単に「見開き面」という。）３ａに液晶表示器で構成される表示画面５が配設されており、この表示画面５にデジタル画像からなる静止画及び動画が表示されるのである。更に、本体ケース３には、後述する画像音声再生装置１０（図４参照）により再生される音データ（音情報）を出力するためのスピーカ（図示せず）が内蔵されており、スピーカから出力される音を外部に送出するための多数のスピーカ孔６が表示画面５の下側部分の横方向両側にそれぞれ穿設されている。
【００４４】
収容凹部７は、本体ケース３における表示画面５の配設面、つまり、本体ケース３の見開き面３ａのうち、表示画面５よりも下側部分の２箇所に凹設されている。この２箇所の収容凹部７はそれぞれ平面視縦長卵形状に形成された凹陥部であり、各収容凹部７内には録音再生器８が着脱可能にそれぞれ嵌着される。また、この収容凹部７の横方向両側には録音再生器８を取り出す場合に、指先を差し込み可能な切欠部７ａが凹設されている。
【００４５】
図３は、電子アルバム１の開閉カバー２の開放状態を示す外観斜視図であって、録音再生器８を収容凹部７から取り外した状態を図示したものである。また、この図３では、スロットカバー１３が開放されるとともに、録音封印プレート９が録音再生器８に取着される以前の状態が図示されている。
【００４６】
図３に示すように、録音再生器８は、音声などの音データの録音機能、記憶機能および再生機能を備えているボイスレコーダの一種であり、本体ケース３と別体に形成されている。この録音再生器８の厚みは、本体ケース３の収容凹部７の深さと略等しいか又はそれより小さくされている。収容凹部７に嵌着された録音再生器８が本体ケース３から突出して開閉カバー２と接触することを防止するためである。
【００４７】
この録音再生器８は、その内部に再生音を出力するためのスピーカ（図示せず）が内蔵されており、その前面中央部にスピーカから出力される音を外部に送出するための多数のスピーカ孔８ａが穿設されている。また、録音再生器８は、その前面上部に略円形状に縁取りされ録音操作パネル８ｂが形成されており、この録音操作パネル８ｂには、録音ボタン８ｃとマイク孔８ｄとが設けられている。
【００４８】
なお、本実施例では、録音再生器８に録音されている音を再生する場合に操作される再生ボタンの図示を省略しているが、かかる再生ボタンについては、録音操作パネル８ｂとは別の箇所、例えば、録音再生器８の裏面などに設けるようにすれば良い。
【００４９】
録音ボタン８ｃは、録音再生器８が音データの録音処理を開始する場合に押下されるスイッチボタンであり、マイク孔８ｄは、録音再生器８に内蔵されている録音マイク（図示せず）が外部の音を受信するための細孔である。また、電子アルバム１は、録音再生器８への録音を禁止するために、その録音再生器８の録音操作パネル８ｂに取着されて録音ボタン８ｃを封印する録音封印プレート９を備えている。
【００５０】
この録音封印プレート９は、録音再生器８の録音操作パネル８ｂの平面形状に適合した平面視略円形状に形成されており、硬質かつ不可撓の薄板で形成されている。そして、この録音封印プレート９は、その裏面に録音操作パネル８ｂに貼着される粘着面（図示せず）が形成されており、この粘着面を介して録音操作パネル８ｂに貼着されることで、録音ボタン８ｃとマイク孔８ｄとを被覆して、録音再生器８を録音不能な状態とするものである。
【００５１】
また、録音封印プレート９は、その粘着面に予め剥離紙（図示せず）が貼着されて録音再生器８から分離された状態で、電子アルバム１に備えられている。このため、録音再生器８の録音ボタン８ｃを封印する場合は、録音封印プレート９の粘着面から剥離紙を剥がして、録音再生器８の録音操作パネル８ｂに貼着する必要がある。
【００５２】
しかも、録音封印プレート９は、その粘着面を介して録音操作パネル８ｂに貼着されるので、録音ボタン８ｃの封印後であっても録音封印プレート９を録音操作パネル８ｂから剥がし取って、録音ボタン８ｃを操作可能な状態に復帰できる。さすれば、録音再生器８によって、メッセージなどの音データを追加録音したり、或いは、再度の録音したりすることもできる。
【００５３】
なお、封印録音プレートの貼付後にそれを剥がして録音再生器８に再録音することを想定して録音ボタン８ｃを再封印するための予備用の録音封印プレート９を電子アルバム１に予め備えておいても良い。
【００５４】
更に、録音封印プレート９は、その表面に録音再生器８の外観形態と相俟って一つの形態を形作るように装飾が施されている。例えば、本実施例では、図３に示すように録音封印プレート９の表面にキャラクターの顔面を象ったイラストが表示されており、このキャラクターの身体を録音再生器８自体で象ることで、録音封印プレート９と録音再生器８とが一つのキャラクターの形態を形作るようにされている。
【００５５】
図４は、スロットカバー１３が開放されている電子アルバム１の右側面図であって、本体ケース３を背部３ｂ側（図３右側）から側面視したものである。図４に示すように、本体ケース３内部には、画像音声再生装置１０が収容されている。画像音声再生装置１０は、本体ケース３に着脱可能なメモリカード２０からデジタル画像を読み出して表示画面５に表示する機能を備え、更に、デジタル画像に付随した音声などの音データをメモリカード２０から読み出して再生する機能も備えている。
【００５６】
具体的に、画像音声再生装置１０は、演算装置であるＣＰＵ（図示せず）と、基本動作の制御を行う制御プログラムや各種パラメータを記憶する書き換え不能な不揮発性メモリであるＲＯＭ（図示せず）と、静止画の順次再生処理、動画の再生処理、及び、音声の再生処理を実行するための各種処理プログラムを記憶する書き換え可能な不揮発性メモリであるＥＥＰＲＯＭ（図示せず）と、これらと表示画面５を構成する液晶表示器とを相互に接続する制御回路（図示せず）とを備えており、ＣＰＵがＲＯＭやＥＥＰＲＯＭからプログラムをＲＡＭに読み出して実行することで、静止画を順次再生する機能、動画を再生する機能、及び、音声を再生する機能を実現するものである。
【００５７】
挿着スロット１１は、本体ケース３の背部３ｂの長手方向に沿って細長く開口形成されており、この本体ケース３の背部３ｂの長手方向に間隔を隔てて２箇所設けられている。この各挿着スロット１１は、メモリカード２０が挿脱可能に挿着される収容部であり、この各挿着スロット１１に挿着されたメモリカード２０は本体ケース３内に収容された状態となる。また、これらの挿着スロット１１の内部には、メモリカード２０が挿着されることでメモリカード２０を画像音声再生装置１０に対してデータ送信可能に接続するコネクタ１２がそれぞれ配設されている。
【００５８】
しかも、一方の挿着スロット１１に配設されるコネクタ１２は、他方の挿着スロット１１に配設されるコネクタ１２とは異種形式（異種規格）のメモリカード２０と接続可能に形成されている。このため、規格が異なるメモリカード２０に記憶されているデジタル画像を１冊の電子アルバム１で鑑賞したり閲覧したりすることができるのである。
【００５９】
また、これらの挿着スロット１１が開口形成されている本体ケース３の背部３ｂには、これらの挿着スロット１１の開口部を覆い隠すスロットカバー１３が開閉可能に取着されている。このスロットカバー１３は、本体ケース３における背部３ｂの外観形態を模して形成されており、このスロットカバー１３によって挿着スロット１１が閉塞されると挿着スロット１１の存在が隠蔽されると共に、かかるスロットカバー１３自体が本体ケース３の背部３ｂの一部となって、写真アルバムの装丁を模した外観形態の創出に貢献するのである（図１参照）。
【００６０】
以上のように構成された電子アルバム１によれば、例えば、結婚式における撮影写真のデジタル画像とともに、新郎新婦の誓いの言葉や参列者の祝辞の音声をまとめて収録することができる。また、新婚旅行における撮影写真のデジタル画像とともに、新婚旅行でのエピソードを紹介した音声をまとめて収録することができる。また、新郎新婦の交際中の思い出、例えば、プロポーズの際の言葉と共にその際の情景を撮影したデジタル画像をまとめて収録することもできる。
【００６１】
更には、新生児を撮影したデジタル画像とその出産時の産声や、子供が初めて喋った言葉の音声とその時の顔写真のデジタル画像や、スポーツ大会を撮影したデジタル画像と宣誓式などの音声や、観光名所を撮影したデジタル画像とそのときの感動の言葉などの音声とをまとめて収録できるのである。このように、電子アルバム１によれば、記念写真等のデジタル画像を保存する写真アルバムとしての機能に加え、そのときの回想させる音声をまとめて収録することで、その当時の思い出をより鮮明に思い起こさせることができるのである。
【００６２】
以上、実施例に基づき本考案を説明したが、本考案は上記実施例に何ら限定されるものではなく、本考案の趣旨を逸脱しない範囲内で種々の改良変形が可能であることは容易に推察できるものである。
【００６３】
例えば、本実施例では、２個の録音再生器８を２箇所の収容凹部にそれぞれ収容するものを用いて説明したが、録音再生器の個数およびその録音再生器を収容する収容凹部の個数は必ずしもこれに限定されるものではなく、例えば、本体ケースにおける開閉カバーの見開き面に１又は３以上の収容凹部を凹設して、その収容凹部と同数の録音再生器を各収容凹部に嵌着させても良い。
【００６４】
また、本実施例では、挿着スロット１１を本体ケース３の背部に開口形成するとともに、この背部の外観形状を模したスロットカバー１３を配設したが、かかる挿着スロットやスロットカバーの形態は必ずしもこれに限定されるものではなく、例えば、本体ケースの小口部（３ｃ）、天部（３ｄ）、又は、地部（３ｅ）のうちいずれかに挿着スロットを開口形成し、その挿着スロットが形成された部分に相当する小口部、天部、又は、地部の外観形態を模したスロットカバーを本体ケースに配設するようにしても良い。
【００６５】
また、本実施例では、各挿着スロット１１に異種形式のメモリカードを接続可能なコネクタ１２を別々に配設する方式を採用したが、例えば、本体ケースに挿着スロットを１口だけ開口形成し、その挿着スロットに、各メモリカードの規格に対応したコネクタを全て集約して配設するようにしても良い。
【００６６】
また、本実施例では、録音封印プレート９を録音再生器８の録音操作パネル８ｂに取着するために粘着面を採用したが、かかる録音封印プレートを録音操作パネルに取着する方式は必ずしもこれに限定されるものではなく、録音封印プレートを録音操作パネルに着脱可能に取着するものであれば良く、例えば、録音封印プレートを録音操作パネルに着脱可能に嵌着するような構造としても良い。
【００６７】
また、録音封印プレート９の表面に施される装飾や録音再生器８の外観形態も上記実施例に限定されるものではなく、適宜形態を変更しても良い。更に、録音再生器８が複数個ある場合に各録音再生器８の外観形態を必ずしも統一する必要はなく、それぞれ異なる外観形態を採用しても良い。
【００６８】
また、録音再生器８は、ＰＣと接続可能な接続端子、例えば、ＵＳＢ（Universal-Serial-Bus）端子を有し、なおかつ、そのＵＳＢ端子を介してＰＣと接続することで、そのＰＣ上で起動されるアプリケーションソフトを介して音データを編集や複製することができるものであっても良い。
【００６９】
また、本実施例では、図３に示すように開閉カバー２の内側面２ａに収容ポケット４を３個設けたが、かかる収容ポケットの個数は必ずしもこれに限定されるものではなく、２個以下であっても４個以上であっても良い。
【図面の簡単な説明】
【００７０】
【図１】本考案の一実施例である電子アルバムを略正面方向から斜視した外観斜視図である。
【図２】電子アルバムの開閉カバーの開放状態を示す外観斜視図である。
【図３】電子アルバムの開閉カバーの開放状態を示す外観斜視図であって、録音再生器を収容凹部から取り外した状態を図示したものである。
【図４】電子アルバムの右側面図であって、本体ケースを背部側から側面視したものである。
【符号の説明】
【００７１】
１                  電子アルバム
２                  開閉カバー
２ａ                内側面
３                  本体ケース
３ａ                見開き面（本体ケースにおける開閉カバーに対する見開き面）
４                  収容ポケット
５                  表示画面
７                  収容凹部
８                  録音再生器
８ｃ                録音ボタン
９                  録音封印プレート（録音封印部材）
１０                画像音声再生装置（画像再生装置、音情報再生装置）
１１                挿着スロット
１２                コネクタ
１３                スロットカバー
２０                メモリカード（記憶媒体）
【図１】
0003129617.tif 000003
【図２】
0003129617.tif 000004
【図３】
0003129617.tif 000005
【図４】
0003129617.tif 000006